(57)【要約】【課題】カードの挿入状態が明確に提示できるカード装着確認表示システムと、これに使用されるカード式車載機およびカードを提供する。【解決手段】カード１５０がカードホルダ１１０に完全に挿入されると、カード１５０は、露出側端部１６１が車載機１００の筐体前面１０１からやや奥まった位置で保持される。カード１５０の端子１５２が車載機１００の発光素子電源用端子１１３と接触して、カード１５０に内蔵された発光素子１５１が発光する。発光素子１５１で発した光は、導光部材１３５によって導かれて、露出側端部１６１の略全面に設けられた発光部１５３ｃを光らせる。カード１５０が完全に挿入された状態から少しでもずれた場合、端子１５２と発光素子電源用端子１１３とが非接触状態となるので発光素子１５１は発光せず、発光部１５３ｃは光らない。【選択図】      図１
2004310434.tif 000002
【特許請求の範囲】
【請求項１】
カードが正しく装着されたことを表示するカード装着確認表示システムにおいて、
カードと、
発光素子と、
挿入された前記カードを保持するカード保持装置と、
前記発光素子に電力を供給する電力供給手段とを備え、
前記カード保持装置に前記カードが挿入されると、前記カード保持装置から露出している前記カードの所定の部分で前記発光素子の光を発することを特徴とするカード装着確認表示システム。
【請求項２】
カードが正しく装着されたことを表示するカード装着確認表示システムにおいて、
挿入された前記カードを保持するカード保持装置と、
前記カードの挿入を表示するために発光する発光素子と、
前記カード保持装置に前記カードが挿入されると前記発光素子に電力を供給するスイッチと、
前記発光素子の光が入射されるライトガイドを有するカードとを有し、
前記ライトガイドに導かれた光を前記カード保持装置から露出している前記カードの端面で表示することを特徴とするカード装着確認表示システム。
【請求項３】
カードが正しく装着されたことを表示するカード装着確認表示システムにおいて、
挿入された前記カードを保持するカード保持装置と、
前記カードの挿入状態に関係なく発光する発光素子と、
前記発光素子の光が入射されるライトガイドを有するカードとを有し、
前記カード保持装置に前記カードが挿入されると、前記ライトガイドに導かれた光を前記カード保持装置から露出している前記カードの端面で表示することを特徴とするカード装着確認表示システム。
【請求項４】
請求項２または請求項３に記載のカード装着確認表示システムにおいて、
前記ライトガイドは、前記発光素子の光を受光する受光部と、前記受光部に入射した光を外部に照明する照明部と、前記受光部から光を前記照明部へ導く導光部とを有し、
前記受光部と前記導光部は前記カード内に設けられ、前記照明部は前記カード保持装置から露出する前記カードの端面を構成することを特徴とするカード装着確認表示システム。
【請求項５】
請求項２または請求項３に記載のカード装着確認表示システムにおいて、
前記ライトガイドは、前記発光素子の光を受光する受光部と、前記受光部に入射した光を外部に照明する照明部と、前記受光部から光を前記照明部へ導く導光部とを有し、
前記受光部と前記導光部と前記照明部は前記カードの表面に設けられ、前記照明部は前記カード保持装置から露出する前記カードの端面を構成することを特徴とするカード装着確認表示システム。
【請求項６】
カードが正しく装着されたことを表示するカード装着確認表示システムにおいて、
発光素子と電池とを有するカードと、
挿入された前記カードを保持するカード保持装置と、
前記カード保持装置に前記カードが挿入されると前記電池と前記発光素子とを接続する接続手段とを備え、
前記カード保持装置から露出している前記カードの端面で前記発光素子の光を発することを特徴とするカード装着確認表示システム。
【請求項７】
挿入されたカードを保持するカード保持装置と、
前記カードに設けられた発光素子に電力を供給する電力供給手段とを備え、
前記カード保持装置に前記カードが挿入されると、前記電力供給手段から前記発光素子に電力を供給することを特徴とするカード式車載機。
【請求項８】
挿入されたカードを保持するカード保持装置と、
前記カードの挿入を表示するために発光する発光素子と、
前記カード保持装置に前記カードが挿入されると前記発光素子に電力を供給するスイッチとを備えることを特徴とするカード式車載機。
【請求項９】
挿入されたカードを保持するカード保持装置と、
前記カードの挿入を表示するために前記カードの挿入状態に関係なく発光する発光素子とを備えることを特徴とするカード式車載機。
【請求項１０】
発光素子と、
前記発光素子に接続されている電源端子とを備え、
カード保持装置に挿入されると、前記電源端子に電力が供給されて前記カード保持装置から露出している端面で前記発光素子の光を発することを特徴とするカード。
【請求項１１】
発光素子の光が入射されるライトガイドを有し、
カード保持装置に挿入されると前記ライトガイドに導かれた光を前記カード保持装置から露出している端面で表示することを特徴とするカード。
【請求項１２】
請求項１１に記載のカードにおいて、
前記ライトガイドは、前記発光素子の光を受光する受光部と、前記受光部に入射した光を外部に照明する照明部と、前記受光部から光を前記照明部へ導く導光部とを有し、
前記受光部と前記導光部は前記カード内に設けられ、前記照明部は前記カード保持装置から露出する前記カードの端面を構成することを特徴とするカード。
【請求項１３】
請求項１１に記載のカードにおいて、
前記ライトガイドは、前記発光素子の光を受光する受光部と、前記受光部に入射した光を外部に照明する照明部と、前記受光部から光を前記照明部へ導く導光部とを有し、
前記受光部と前記導光部と前記照明部は前記カードの表面に設けられ、前記照明部は前記カード保持装置から露出する前記カードの端面を構成することを特徴とするカード。
【請求項１４】
請求項１３に記載のカードにおいて、
前記導光部は、前記カードの表面に設けられる構造物の高さより低い高さになる厚みであることを特徴とするカード。
【請求項１５】
発光素子と、
電池と、
カード保持装置に挿入されると前記電池と前記発光素子とを接続する接続手段とを備え、
前記カード保持装置から露出している前記カードの端面で前記発光素子の光を発することを特徴とするカード。
【発明の詳細な説明】
【０００１】
【発明の属する技術分野】
本発明は、カードホルダに挿入したカードが適正な挿入位置であることを示すカード装着確認表示システムと、これに使用されるカード式車載機およびカードに関する。
【０００２】
【従来の技術】
カードを挿入して使用される車載機として、ノンストップ自動料金支払いシステム（ＥＴＣ）用の車載機がある。この車載機では、カードを車載機内のカードホルダに完全に挿入する必要がある。そこで、カードがカードホルダに完全に挿入されるとインジケータ表示で乗員に報知したり、挿入が不完全な場合には車載機の電源が入らないようにするなどして、カードがカードホルダに完全に挿入されているか否かが乗員に分かるようにしている（特許文献１参照）。
【０００３】
【特許文献１】
特開２０００−３５３２６０号公報
【０００４】
【発明が解決しようとする課題】
しかし、従来のカード式車載機では、カードを挿入した乗員が、他の操作に気を取られて、カードが完全に挿入された際に発せられるインジケータ表示を見落としてしまう恐れがある。また、車載機のインジケータは、車載機の前面に円形や矩形形状の面状に発光する表示形態であったため、このインジケータと車室内の他のインジケータとを瞬時に見分けることが困難であった。このため、後からカードの挿入状態を確認しようとしても、車載機の表示状態を瞬時に判別することが困難であった。
【０００５】
本発明は、カードの挿入状態が明確に提示できるカード装着確認表示システムと、これに使用されるカード式車載機およびカードを提供する。
【０００６】
【課題を解決するための手段】
（１）  請求項１の発明によるカード装着確認表示システムは、カードが正しく装着されたことを表示するカード装着確認表示システムにおいて、カードと、発光素子と、挿入されたカードを保持するカード保持装置と、発光素子に電力を供給する電力供給手段とを備え、カード保持装置にカードが挿入されると、カード保持装置から露出しているカードの所定の部分で発光素子の光を発することを特徴とする。
（２）  請求項２の発明によるカード装着確認表示システムは、  カードが正しく装着されたことを表示するカード装着確認表示システムにおいて、挿入されたカードを保持するカード保持装置と、カードの挿入を表示するために発光する発光素子と、カード保持装置にカードが挿入されると発光素子に電力を供給するスイッチと、発光素子の光が入射されるライトガイドを有するカードとを有し、ライトガイドに導かれた光をカード保持装置から露出しているカードの端面で表示することを特徴とする。
（３）  請求項３の発明によるカード装着確認表示システムは、カードが正しく装着されたことを表示するカード装着確認表示システムにおいて、挿入された前記カードを保持するカード保持装置と、カードの挿入状態に関係なく発光する発光素子と、発光素子の光が入射されるライトガイドを有するカードとを有し、カード保持装置にカードが挿入されると、ライトガイドに導かれた光をカード保持装置から露出しているカードの端面で表示することを特徴とする。
（４）  請求項６の発明によるカード装着確認表示システムは、カードが正しく装着されたことを表示するカード装着確認表示システムにおいて、発光素子と電池とを有するカードと、挿入されたカードを保持するカード保持装置と、カード保持装置にカードが挿入されると電池と発光素子とを接続する接続手段とを備え、カード保持装置から露出しているカードの端面で発光素子の光を発することを特徴とする。
（５）  請求項７の発明によるカード式車載機は、挿入されたカードを保持するカード保持装置と、カードに設けられた発光素子に電力を供給する電力供給手段とを備え、カード保持装置にカードが挿入されると、電力供給手段から発光素子に電力を供給することを特徴とする。
（６）  請求項８の発明によるカード式車載機は、挿入されたカードを保持するカード保持装置と、カードの挿入を表示するために発光する発光素子と、カード保持装置にカードが挿入されると発光素子に電力を供給するスイッチとを備えることを特徴とする。
（７）  請求項９の発明によるカード式車載機は、挿入されたカードを保持するカード保持装置と、カードの挿入を表示するためにカードの挿入状態に関係なく発光する発光素子とを備えることを特徴とする。
（８）  請求項１０の発明によるカードは、発光素子と、発光素子に接続されている電源端子とを備え、カード保持装置に挿入されると、電源端子に電力が供給されてカード保持装置から露出している端面で発光素子の光を発することを特徴とする。
（９）  請求項１１の発明によるカードは、発光素子の光が入射されるライトガイドを有し、カード保持装置に挿入されるとライトガイドに導かれた光をカード保持装置から露出している端面で表示することを特徴とする。
（１０）  請求項１５の発明によるカードは、発光素子と、電池と、カード保持装置に挿入されると電池と発光素子とを接続する接続手段とを備え、カード保持装置から露出しているカードの端面で発光素子の光を発することを特徴とする。
【０００７】
【発明の効果】
（１）  請求項１の発明によるカード装着確認表示システムは、カードがカード保持装置に完全に挿入されたときのみ、発光素子が発光してカード保持装置から露出しているカードの所定の部分で発光素子の光を発する。これにより、発光素子の発光状態、すなわちカードがカード保持装置に完全に挿入されたか否かを容易に判別できる。
（２）  請求項２の発明によるカード装着確認表示システムは、ライトガイドを有するカードが完全に挿入されたときのみ発光素子が発光して、ライトガイドに導かれた光をカード保持装置から露出しているカードの端面で表示する。これにより、カードにはライトガイドを設けるだけでよく、発光素子や端子を埋め込む必要がないので、カードの構造が複雑にならず、低コストである。
（３）  請求項３の発明によるカード装着確認表示システムは、発光素子は、カードの挿入状態に関係なく発光する。これにより、夜間など周囲が暗い状況では、カードの挿入部分が発光素子の光によって照らされるので、カードの挿入部分の位置が判別し易い。
（４）  請求項６の発明によるカード装着確認表示システムは、カードに発光素子と電池とを設けた。このカードを用いることによって、従来のカード保持装置がそのまま利用できるので、カード装着確認表示システム全体を低コストで実現できる。
（５）  請求項７の発明によるカード式車載機は、カード保持装置にカードが挿入されると、電力供給手段からカードに設けられた発光素子に電力を供給する。これにより、カードの挿入完了表示を簡便な構造で実現できる。
（６）  請求項８の発明によるカード式車載機は、カード式車載機に発光素子とスイッチを設け、ライトガイドを有するカードが完全に挿入されたときのみ発光素子が発光する。これにより、カードに発光素子や端子を埋め込む必要がないので、カードの構造が複雑にならず、低コストである。
（７）  請求項９の発明によるカード式車載機は、カード式車載機にカードの挿入状態に関係なく発光する発光素子を設けた。これにより、夜間など周囲が暗い状況では、カードの挿入部分が発光素子の光によって照らされるので、カードの挿入部分の位置が判別し易い。
（８）  請求項１０の発明によるカードは、カード保持装置に挿入されると、カードに設けた発光素子が発光して、カード保持装置から露出している端面で発光素子の光を発する。これにより、発光素子の発光状態、すなわちカードがカード保持装置に完全に挿入されたか否かを容易に判別できる。
（９）  請求項１１の発明によるカードは、発光素子の光が入射されるライトガイドを有し、カード保持装置に挿入されるとライトガイドに導かれた光をカード保持装置から露出している端面で表示する。これにより、カード端面から離れた場所に位置する発光素子の光を簡易な構造で導くことができ、低コストでカードが作成できる。
（１０）  請求項１５の発明によるカードは、発光素子と電池と接続手段とを備え、カード保持装置に挿入されるとカード保持装置から露出しているカードの端面で発光素子の光を発する。このカードを用いることによって、従来のカード保持装置によっても、カードがカード保持装置に完全に挿入されたか否かを容易に判別することができるので、追加費用はカードのみでよく、低コストである。
【０００８】
【発明の実施の形態】
―――第１の実施の形態―――
図１〜４を参照して、本発明によるカード式車載機の第１の実施の形態を説明する。図１において、第１の実施の形態のカード式車載機（以下、車載機と呼ぶ）１００には、第１に実施の形態のカード１５０が装着されて使用される。図２に示すように、車載機１００は、挿入されたカード１５０を保持するカードホルダ１１０と、カード１５０に搭載されたＩＣチップ１７０から情報を入出力するカード情報入出力部１２０と、ＩＣチップ１７０に入出力する情報を処理する情報処理部１２１と、ＩＣチップ１７０に入出力する情報を外部と送受信するための通信部１２２とを有する。
【０００９】
図２に示すように、車載機１００の筐体前面１０１にはカード１５０を挿入するための挿入口１１２が設けられている。挿入口１１２には、略Ｕ字型の断面である逃げ部１１２ａを設けており、乗員がカード１５０をカードホルダ１１０に挿入する際に、指が挿入口１１２に当たらないようになっている。車載機１００の筐体前面１０１には、挿入されたカード１５０を取り出すためのイジェクトボタン１１５が設けられている。カードホルダ１１０には、挿入口１１２から挿入されたカード１５０を図示しないガイドに沿って取り込み、エジェクトボタン１１５の操作によりカード１５０をエジェクトするカード保持機構１１１が設けられている。カード保持機構１１１には、一対の発光素子電源用端子１１３が設けられている。カード保持機構１１１に取り込まれたカード１５０には、発光素子電源用端子１１３を介して車両用電源Ｂに接続されて、電力が供給される。
【００１０】
車載機１００に挿入されるカード１５０はＩＣカードと呼ばれるものであり、ＪＩＳで規定された識別カードと同等のサイズであり、キャッシュカードやクレジットカード等に用いられるものと同等のものである。図３に示すように、カード１５０の内部にはＩＣチップ１７０が埋め込まれ、カード１５０の表面にはＩＣチップ端子１７１が設けられている。このＩＣチップ端子１７１がカード情報入出力部１２０の不図示の端子と接触する。カードホルダ１１０に挿入した際に挿入口１１２に位置するカード１５０の露出側端部１６１の近傍には、カード１５０の内部に発光素子１５１が設けられている。発光素子１５１は、たとえば発光ダイオードと、これに直列に接続される電流制限抵抗とから構成される。露出側端部１６１とは反対側の挿入側端部１６２には、発光素子１５１に電力を供給するための一対の端子１５２が設けられている。この端子１５２は、カード１５０がカードホルダ１１０に完全に挿入されると、発光素子電源用端子１１３と接触して、車両用電源Ｂからの電力が供給される。すなわち、端子１５２と発光素子電源用端子１１３とがスイッチの役割を果たす。これにより、カード１５０がカードホルダ１１０に完全に挿入されると、発光素子１５１が発光する。
【００１１】
図３に示すように、カード１５０の内部には、発光素子１５１と露出側端部１６１の端面１６１ａとの間に導光部材（ライトガイド）１５３が設けられている。ライトガイド１５３は、透明な樹脂性であって、受光部１５３ａと、導光部１５３ｂと、発光部１５３ｃとを有する。発光部１５３ｃは、露出側端部１６１の略全面に設けられた導光材である。受光部１５３ａは、発光素子１５１の光を受光するように構成されている。すなわち、発光素子１５１が発光すると発光部１５３ｃが光るので、露出側端部１６１の全体が細長く光った状態となる。
【００１２】
図４は、カード１５０が挿入された車載機１００を示す図である。図４（ａ）は、車載機１００を斜め上方から見た斜視図であり、図４（ｂ）は車載機１００を上面から見た場合のカード１５０の位置を示した断面図であり、図４（ｃ）は車載機１００を側面から見た場合のカード１５０の位置を示した断面図である。
【００１３】
図４（ａ）〜（ｃ）に示すように、カード１５０がカードホルダ１１０に完全に挿入されると、カード１５０は、露出側端部１６１が車載機１００の筐体前面１０１からやや奥まった位置で保持される。そして、カード１５０の端子１５２が車載機１００の発光素子電源用端子１１３と接触して、発光素子１５１が発光する。発光素子１５１で発した光は、上述のように、ライトガイド１５３の発光部１５３ｃまで導かれ、露出側端部１６１を全体的に光らせる。カード１５０が完全に挿入された状態から少しでもずれた場合、端子１５２と発光素子電源用端子１１３とが非接触状態となるので発光素子１５１は発光せず、発光部１５３ｃは光らない。
【００１４】
図４（ｃ）によく示すように、カード１５０の発光面である露出側端部１６１は、車載機１００の筐体前面１０１からやや奥まった場所に位置するので、筐体前面１０１がひさしのように、太陽光などの外来光を遮る役割を果たす。
【００１５】
第１の実施の形態によるカード式車載機では、次の作用効果を奏する。
（１）  カード１５０が車載機１００のカードホルダ１１０に完全に挿入されたときのみ、発光素子１５１が発光してカード端面が光るようにした。これにより、発光素子１５１の発光状態、すなわちカード１５０がカードホルダ１１０に完全に挿入されたか否かを容易に判別できる。
（２）  カード１５０に発光素子１５１とこれに接続された端子１５２を設け、カード１５０が車載機１００のカードホルダ１１０に完全に挿入されたときにカード保持機構１１１に設けられた一対の発光素子電源用端子１１３と端子１５２とが接触するようにした。これにより、カード１５０の挿入完了表示を簡便な構造で実現できる。
（３）  ライトガイド１５３によって発光素子１５１の光を導き、露出側端部の略全面に設けられた発光部１５３ｃを光らせるようにした。他の機器のインジケータとは異なり、細長く光る表示形態になるので、他の機器の表示とは明確に判別することができる。また、発光面積が増えて視認性が向上する。
（４）  発光部１５３ｃが設けられた露出側端部１６１は、車載機１００の筐体前面１０１からやや奥まった場所に位置するので、筐体前面１０１が太陽光などの外来光を遮り、外来光による視認性の低下を防止できる。これにより、外来光の影響を受けずに、カード１５０が完全に挿入されたか否かを容易に判断できる。
【００１６】
―――第２の実施の形態―――
図５〜図７を参照して、本発明によるカード式車載機の第２の実施の形態を説明する。第２の実施の形態のカード式車載機は、発光素子をカードホルダに設けたものである。以下の説明では、第１の実施の形態と同じ構成要素には同じ符号を付して相違点を主に説明する。
【００１７】
図５に示すように、カードホルダ１１０の底部には、発光素子１３０と、この発光素子１３０と直列に接続されたカード検出スイッチ１３１とが設けられている。
【００１８】
カード検出スイッチ１３１は、カード２５０がカードホルダ１１０に完全に挿入されたときにのみ押圧されて閉路して、車両用電源Ｂを発光素子１３０に接続するようになっている。したがって、カード２５０がカードホルダ１１０に完全に挿入されたときにのみ、発光素子１３０に電力が供給されて発光するようになっている。
【００１９】
図６は、第２の実施の形態のカード２５０を示す図で、図７は、図６のＶＩＩ−ＶＩＩ線における断面図である。カード２５０が第１の実施の形態のカード１５０と主に相違する点は、発光素子がない点、およびカード内部を一端から他端まで貫通する導光部材（ライトガイド）が設けられている点である。カード２５０はカード形状を呈するカード基材２８０を有し、その表面および裏面に保護層２８１ａ，２８１ｂが設けられている。カード２５０の表面、すなわち保護層２８１ａには、エンボス２５５〜２５７が設けられている。このエンボス２５５〜２５７は、カード番号やカード所有者氏名をカード２５０の裏面から表面に向かって押し出して表示するものである。たとえばエンボス２５５にはカード番号が、エンボス２５６にはカードの有効期限が、エンボス２５７にはカード所有者の氏名が表示される。
【００２０】
カード２５０の表面には、上述のエンボス２５５〜２５７の他に、ＩＣチップ端子１７１が配置されている。カード２５０の内部には、ＩＣチップ１７０や磁気テープ２８２が埋め込まれている。第２の実施の形態のカード２５０には、上述したカード表面および内部の各構成要素およびエンボス２５５〜２５７を避けてカード内部を一端から他端まで貫通する略Ｔ字形状のライトガイド２５３が設けられている。ライトガイド２５３は、受光部２５３ａと、導光部２５３ｂと、発光部２５３ｃとを有する。発光部２５３ｃは、カード２５０をカードホルダ１１０に挿入した際に挿入口１１２に位置する露出側端部の全面に設けられた導光材である。受光部２５３ａは、カード２５０がカードホルダ１１０に完全に挿入されたときに、カードホルダ１１０に設けられた発光素子１３０の光を受光するように構成されている。
【００２１】
上述した第２の実施の形態によるカード式車載機では、次のようにしてカード装着を表示する。カード２５０がカードホルダ１１０に完全に挿入されると、カード検出スイッチ１３１が押圧されて発光素子１３０が発光する。発光素子１３０の光は、受光部２５３ａで受光され、導光部２５３ｂによって発光部２５３ｃまで伝達される。これにより、カード２５０がカードホルダ１１０に完全に挿入されると、発光部２５３ｃが光る。
【００２２】
第２の実施の形態によるカード式車載機では、第１の実施の形態における作用効果の他に、次の作用効果を奏する。
（１）  車載機１００のカードホルダ１１０に発光素子１３０とカード検出スイッチ１３１を設け、カード２５０が完全に挿入されたときのみ、発光素子１３０が発光するようにした。これにより、カード２５０にライトガイド２５３を設けるだけでよく、発光素子や端子を埋め込む必要がなく、カード２５０の構造が複雑にならず、低コストである。
（２）  カード内部を一端から他端まで貫通する略Ｔ字形状のライトガイド２５３を設けた。これにより、発光部２３５ｃと離れた位置にある発光素子１３０の光を効率よく導いてカード２５０の端面を光らせることができる。
【００２３】
―――第３の実施の形態―――
図８を参照して、本発明によるカード式車載機の第３の実施の形態を説明する。第３の実施の形態のカード式車載機では、カード検出スイッチを設けていない点で第２の実施の形態と異なる。以下の説明では、第２の実施の形態と同じ構成要素には同じ符号を付して相違点を主に説明する。
【００２４】
図８に示すように、第３の実施の形態のカード式車載機では、車両の不図示の電源スイッチと発光素子１３０とが車両用電源Ｂに直列に接続されている。したがって、不図示の電源スイッチが投入されると、発光素子１３０には車両用電源Ｂの電力が供給されて発光する。
【００２５】
発光素子１３０は、カード２５０がカードホルダ１１０に完全に挿入されなければ、発光素子１３０の光が受光部２５３ａで受光できない位置に設けられている。したがって、カード２５０がカードホルダ１１０に完全に挿入されなければ、発光部２５３ｃは光らない。カード２５０がカードホルダ１１０に完全に挿入されると、発光素子１３０の光が受光部２５３ａで受光されるので、発光部２５３ｃが光る。
【００２６】
第３の実施の形態によるカード式車載機では、第１および第２の実施の形態における作用効果の他に、次の作用効果を奏する。
（１）  車載機１００のカードホルダ１１０に設けた発光素子１３０は、不図示の電源スイッチが投入されると発光する。これにより、夜間など周囲が暗い状況では、挿入口１１２が発光素子１３０の光によって照らされるので、挿入口１１２の位置が判別し易い。
【００２７】
―――第４の実施の形態―――
図９，１０を参照して、本発明によるカード式車載機の第４の実施の形態を説明する。第４の実施の形態のカード式車載機は、ライトガイドをカード表面に設けた点で、第２および第３の実施の形態と異なる。以下の説明では、第２および第３の実施の形態と同じ構成要素には同じ符号を付して相違点を主に説明する。
【００２８】
図９は、第４の実施の形態のカードを示し、図１０は、図９のＸ−Ｘ線における断面を示す。図１１は、図９のＩＸ−ＩＸ線における断面図である。上述のように、カード３５０は、その表面に、発光素子の発する光を導くライトガイド３５３を設けている。
【００２９】
カード３５０には、ＩＣチップ３７１と内蔵コイル３７１と磁気テープ２８２とがその内部に埋め込まれている。内蔵コイル３７１は、カードホルダ１１０に設けられた不図示のカード情報送受信部とＩＣチップ３７１に入出力する情報を送受信するためのアンテナの役割をするものである。すなわちカード３５０は、外部機器と非接触で情報の入出力を行うことができる。
【００３０】
このように、カード内部に埋設する素子が多い場合には、ライトガイド３５３をカード３５０の表面に設ける。ライトガイド３５３は、エンボス２５５〜２５７を避けてカード表面に一端から他端まで延設された略Ｔ字形状の導光部材である。ライトガイド３５３は、受光部３５３ａと、導光部３５３ｂと、発光部３５３ｃとを有する。発光部３５３ｃは、カード３５０をカードホルダ１１０に挿入した際に挿入口１１２に位置する露出側端部の全面に設けられた導光材である。受光部３５３ａは、カード３５０がカードホルダ１１０に完全に挿入されたときに、カードホルダ１１０に設けられた発光素子１３０の光を受光するように構成されている（図１１）。
【００３１】
図１０に示すように、導光部３５３ｂの厚さＴＬは、エンボス２５５〜２５７のカード表面からの高さＴＥより薄くされており、エンボス２５５〜２５７を写し取る際の擦りによる摩耗や破損を防止している。
【００３２】
第４の実施の形態によるカード式車載機では、上述の各実施の形態における作用効果の他に、次の作用効果を奏する。
（１）  ライトガイド３５３をカード３５０の表面に設けたので、カード３５０に埋め込まれる部材の数や大きさ、位置に影響されずにライトガイド３５３を設けることができる。これにより、低コストで簡便にライトガイドを設けることができる。
（２）  導光部３５３ｂの厚さＴＬをエンボス２５５〜２５７のカード表面からの高さＴＥより薄くした。これにより、ライトガイド横断部３５３ｃの耐久性が増す。
【００３３】
上述の説明では、カードの露出側端部の全体を細長く光らせていたが、本発明はこれに限らない。カードの露出側端部の一部分や、露出側端部よりやや離れた場所、カードの表面などで光らせるようにしてもよく、車室内の他のインジケータと明確に見分けることができるものであればよい。上述の説明で、カードホルダ１１０と車載機１００の本体は一体型であったが、本発明はこれに限らない。カードを挿入する部分がＩＣチップに入出力する情報を処理する情報処理部や外部と情報を送受信するための通信部などと分離されたセパレート型の車載機であってもよい。また、第１の実施の形態では、カードに内蔵された発光素子に電力を供給するために、カードホルダとカードとに接触して電力を供給するための端子を設けているが、本発明はこれに限らない。たとえば、誘導電流を利用して、非接触でカードに内蔵された発光素子１５１に電力を供給するようにしてもよい。誘導電流を利用して電力を供給する場合、第２の実施の形態のように、カードホルダ１１０にカード検出スイッチ１３１を設けて、カードの完全挿入を検出したときのみカードホルダ１１０からカード側へ誘導電流を発生させて、発光素子に電力を供給するようにすればよい。このカード検出スイッチをカード側に設ければ、カードの挿入状態に関係なくカードホルダ１１０からカード側へ誘導電流を発生させてもよい。さらに、図１２に示すように、カード４５０に電池４５１を内蔵するようにしてもよい。この電池４５１は一次電池であってもよく、二次電池であってもよい。カード４５０に電池４５１を内蔵した場合には、たとえば、ＩＣチップ端子１７１とカード情報入出力部１２０の端子とが接触したことを検出して発光素子に電力を供給する検出スイッチ４５２をカードに設けることもできる。
【００３４】
上述の説明では、カード基材とは別にライトガイドを構成する透明な樹脂を用いるものとしたが、本発明はこれに限らない。たとえば、カード基材そのものを透明な樹脂で構成して、カード基材がライトガイドの機能を有するものとすることもできる。また、発光素子の位置も第２〜４の実施の形態で説明したように、カードホルダの奥でなくてもよい。ライトガイドで光を導くことができれば、カードの表面または裏面もしくは側面の任意の位置であってもよい。
【００３５】
上述の説明では、乗員にカードの完全挿入を報知するのは発光素子の光だけであったが、音声による報知を伴うものであってもよく、発光素子も発光ダイオードに限らない。また、上述の説明では、使用するカードは、ＪＩＳに規格された識別カードと同等のＩＣカードであって、用途も車載用途であったが、本発明はこれに限らない。カード状の物体の装着位置を確認する用途であってもよい。さらに、上述した各実施の形態および変形例は、それぞれ組み合わせてもよい。
【００３６】
上述の説明において、カード保持装置はカードホルダ１１０に、スイッチはカード検出スイッチ１３１に、接続手段は検出スイッチ４５２に、カードの表面に設けられる構造物はエンボス２５５，２５６，２５７にそれぞれ対応する。また、電力供給手段は、端子１５２と発光素子電源用端子１１３により構成される。さらに、本発明の特徴的な機能を損なわない限り、本発明は、上述した実施の形態における機器構成に何ら限定されない。
【図面の簡単な説明】
【図１】第１の実施の形態のカード式車載機および第１の実施の形態のカードの構成を示す図である。
【図２】図１の車載機１００の斜視図である。
【図３】図１のカード１５０の斜視図である。
【図４】カード１５０が挿入された車載機１００を示す図であり、（ａ）は、車載機１００を斜め上方から見た斜視図、（ｂ）は車載機１００を上面から見た場合のカード１５０の位置を示した断面図、（ｃ）は車載機１００を側面から見た場合のカード１５０の位置を示した断面図である。
【図５】第２の実施の形態のカード式車載機および第２の実施の形態のカードの構成を示す図である。
【図６】図５のカード２５０を示した図である。
【図７】図６のＶＩＩ−ＶＩＩ線における断面図である。
【図８】第３の実施の形態のカード式車載機およびこれに使用されるカードの構成を示す図である。
【図９】第４の実施の形態のカードを示した図面である。
【図１０】図９のＸ−Ｘ線における断面図である。
【図１１】図９のＩＸ−ＩＸ線における断面図である。
【図１２】変形例のカード４５０の斜視図である。
【符号の説明】
１００  車載機                        １０１  筐体前面
１１０  カードホルダ                  １１１  カード保持機構
１１２  カード挿入口                  １１３  発光素子電源用端子
１２０  カード情報入出力部            １２１  情報処理部
１２２  通信部                        １３０，１５１  発光素子
１３１  カード検出スイッチ
１５０，２５０，３５０，４５０  カード
１５２  端子
１５３，２５３，３５３  ライトガイド
１５３ａ，２５３ａ，３５３ａ  受光部
１５３ｂ，２５３ｂ，３５３ｂ  導光部
１５３ｃ，２５３ｃ，３５３ｃ  発光部
１６１ａ  端面                        １７０，３７０  ＩＣチップ
２５５，２５６，２５７  エンボス
４５１  電池                          ４５２  検出スイッチ
【図１】
2004310434.tif 000003
【図２】
2004310434.tif 000004
【図３】
2004310434.tif 000005
【図４】
2004310434.tif 000006
【図５】
2004310434.tif 000007
【図６】
2004310434.tif 000008
【図７】
2004310434.tif 000009
【図８】
2004310434.tif 000010
【図９】
2004310434.tif 000011
【図１０】
2004310434.tif 000012
【図１１】
2004310434.tif 000013
【図１２】
2004310434.tif 000014